【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
符号化データから、フィルタパラメータ、予測残差信号及び予測信号を復号する復号手段と、前記復号手段により復号された予測残差信号を逆量子化及び逆変換することにより予測残差を生成する生成手段と、を有し、前記予測残差と、前記予測信号とから画像データを復号する画像復号装置であって、
フィルタ処理の対象となる画素及び該画素付近の画素に重み係数をかけて加算することによってフィルタ処理を行うフィルタ手段と、
フィルタ処理の対象となる画素付近における画素値の変化量を算出し、変化量の大きさからインデックスを算出するインデックス算出手段と、
を備え、
画像復号装置は、算出された前記インデックスに対応する復号された前記フィルタパラメータを重み係数としてフィルタ手段に出力することを特徴とする画像復号装置。
【請求項２】
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
フィルタ処理の対象となる画素付近の勾配値を算出する勾配値算出手段と、
前記勾配値算出手段により算出された勾配に応じて、前記画像データにフィルタ処理を行うフィルタ手段と、
を更に備え、
前記勾配値算出手段は、フィルタ処理の対象となるブロックの変換係数の大きさと、フィルタ対象画素とその周囲の画素の差分の大きさを用いて、フィルタ処理の対象となる画素付近の勾配の大きさに対応する勾配インデックスを算出することを特徴とする画像復号装置。
【請求項３】
前記勾配値算出手段は、ブロックのサイズが、所定のサイズ以上の場合において、フィルタ処理の対象となるブロックの変換係数の大きさを用いて又は前記変換係数の大きさと、フィルタ対象画素と、その周囲の画素の差分の大きさと、を用いて勾配値を算出することを特徴とする請求項１又は２に記載の画像復号装置。
【請求項４】
前記フィルタ手段は、ブロックに分割して符号化された画像情報を復号する際に、あるブロックと当該あるブロックに隣接する隣接ブロックとの境界近傍に位置する上記あるブロックに属する処理対象画素の画素値を補正する手段であって、
前記勾配値算出手段は、ブロックのサイズが、所定のサイズ以上の場合において、あるブロックに属する２つ以上の画素の画素値間の差分の大きさと、隣接ブロックに属する２つ以上の画素の画素値間の差分の大きさとから、勾配値を算出することを特徴とする請求項１又は２に記載の画像復号装置。
【請求項５】
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
前記復号手段は、予測残差信号の可変長符号化方法を切り替えるフラグを復号する復号手段を備え、
前記予測残差信号は、サイズの異なる複数のブロックに分割して符号化された信号であって、
前記復号手段は、所定のサイズよりも大きいブロックサイズに対しては、逆変換手段に入力する変換係数の数を変更することを備えることを特徴とする画像復号装置。
【請求項６】
前記復号手段は、所定のサイズよりも大きいブロックサイズに対しては、逆変換手段に入力する変換係数の数を変更することを特徴とする復号手段であって、可変長符号化方法を切り替えるフラグによって、前記変換係数の数を変更する復号手段を備えることを特徴とする請求項５に記載の画像復号装置。
【請求項７】
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
前記予測残差信号は、サイズの異なる複数のブロックに分割して符号化された信号であって、
前記復号手段は、所定のサイズよりも大きいブロックサイズに対しては、逆変換手段に入力する変換係数の数よりも、前記符号化データに含める変換係数の数の方が小さくなることを特徴とする復号手段であって、前記変換係数の数を変更する復号手段を備えることを特徴とする画像復号装置。
【請求項８】
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
前記予測残差信号の復号において、前記復号手段は所定の数以上の予測残差信号を復号する時点で、既に復号された予測残差信号の値に応じて、前記符号化データに含める変換係数の位置を変更する手段を備えることを特徴とする画像復号装置。
【請求項９】
前記予測残差信号の復号において、前記復号手段は、所定の数以上の予測残差信号を復号する時点で、復号された予測残差信号の値の線形和により算出される指数を算出する手段を備え、前記指数が所定の値よりも大きいかに応じて、前記符号化データに含める変換係数の位置を変更する手段を備えることを特徴とする請求項７又は８に記載の画像復号装置。
【請求項１０】
局所復号画像を生成する復号画像生成手段を備える画像符号化装置であって、
前記局所復号画像上のある算出対象画素付近の勾配値を算出する勾配値算出手段と、
前記算出対象となる画素値と、その周辺の画素値と、入力画像の対象画素と同じ位置の画素値から、学習データを算出し、勾配毎に保存する学習データ算出保存手段と、
前記学習データ算出保存手段により保存された勾配毎の学習データを用いて、勾配毎のフィルタパラメータを算出するフィルタパラメータ算出手段と、
を備えることを特徴とする画像符号化装置。
【手続補正２】
【補正対象書類名】明細書
【補正対象項目名】０００４
【補正方法】変更
【補正の内容】
【０００４】
例えば、非特許文献１には、基本的なフィルタ処理技術について開示されている。非特許文献１に記載のフィルタ処理技術について、図２６を参照しつつ以下に説明する。図２６は、ブロック境界における画素および当該画素の画素値を模式的に示した図である。
【手続補正３】
【補正対象書類名】明細書
【補正対象項目名】０００５
【補正方法】変更
【補正の内容】
【０００５】
図２６では、画素値ｐ０である画素Ｐ０と、画素値ｑ０である画素Ｑ０との間がブロックの境界であるとし、境界から離れるに従って、画素Ｐ１、Ｐ２、Ｐ３、および、画素Ｑ１、Ｑ２、Ｑ３としている。また、各画素における画素値を、それぞれ、画素値ｐ１、ｐ２、ｐ３、および、画素値ｑ１、ｑ２、ｑ３としている。
【手続補正４】
【補正対象書類名】明細書
【補正対象項目名】０００６
【補正方法】変更
【補正の内容】
【０００６】
すなわち、図２６では、ブロック境界において隣接する２つのブロックのうち、一方のブロックの画素値を画素値ｐｋ（ｋは境界からの距離により定められる値）、他方のブロックの画素値を画素値ｑｋ（ｋは境界からの距離により定められる値）として表している。なお、図２６では、境界が水平方向の境界であるのか、または垂直方向の境界であるのかについては区別していない。
【手続補正５】
【補正対象書類名】明細書
【補正対象項目名】００１７
【補正方法】変更
【補正の内容】
【００１７】
上述した課題を解決するために、本発明の画像復号装置は、
符号化データから、フィルタパラメータ、予測残差信号及び予測信号を復号する復号手段と、前記復号手段により復号された予測残差信号を逆量子化及び逆変換することにより予測残差を生成する生成手段と、を有し、前記予測残差と、前記予測信号とから画像データを復号する画像復号装置であって、
フィルタ処理の対象となる画素及び該画素付近の画素に重み係数をかけて加算することによってフィルタ処理を行うフィルタ手段と、
フィルタ処理の対象となる画素付近における画素値の変化量を算出し、変化量の大きさからインデックスを算出するインデックス算出手段と、
前記インデックスに対応して定められたフィルタパラメータを復号するフィルタパラメータ復号手段と、
を備え、
画像復号装置は、算出された前記インデックスに対応する復号された前記フィルタパラメータを重み係数としてフィルタ手段に出力することを特徴とする。
【手続補正６】
【補正対象書類名】明細書
【補正対象項目名】００１８
【補正方法】変更
【補正の内容】
【００１８】
また、本発明の画像復号装置は、
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
フィルタ処理の対象となる画素付近の勾配値を算出する勾配値算出手段と、
前記勾配値算出手段により算出された勾配に応じて、前記画像データにフィルタ処理を行うフィルタ手段と、
を更に備え、
前記勾配値算出手段は、フィルタ処理の対象となるブロックの変換係数の大きさと、フィルタ対象画素とその周囲の画素の差分の大きさを用いて、フィルタ処理の対象となる画素付近の勾配の大きさに対応する勾配インデックスを算出することを特徴とする。
【手続補正７】
【補正対象書類名】明細書
【補正対象項目名】００１９
【補正方法】変更
【補正の内容】
【００１９】
また、本発明の画像復号装置において、
前記勾配値算出手段は、ブロックのサイズが、所定のサイズ以上の場合において、フィルタ処理の対象となるブロックの変換係数の大きさを用いて又は前記変換係数の大きさと、フィルタ対象画素と、その周囲の画素の差分の大きさと、を用いて勾配値を算出することを特徴とする。
【手続補正８】
【補正対象書類名】明細書
【補正対象項目名】００２０
【補正方法】変更
【補正の内容】
【００２０】
また、本発明の画像復号装置において、
前記フィルタ手段は、ブロックに分割して符号化された画像情報を復号する際に、あるブロックと当該あるブロックに隣接する隣接ブロックとの境界近傍に位置する上記あるブロックに属する処理対象画素の画素値を補正する手段であって、
前記勾配値算出手段は、ブロックのサイズが、所定のサイズ以上の場合において、あるブロックに属する２つ以上の画素の画素値間の差分の大きさと、隣接ブロックに属する２つ以上の画素の画素値間の差分の大きさとから、勾配値を算出することを特徴とする。
【手続補正９】
【補正対象書類名】明細書
【補正対象項目名】００２１
【補正方法】変更
【補正の内容】
【００２１】
本発明の画像復号装置は、
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
前記復号手段は、予測残差信号の可変長符号化方法を切り替えるフラグを復号する復号手段を備え、
前記予測残差信号は、サイズの異なる複数のブロックに分割して符号化された信号であって、
前記復号手段は、所定のサイズよりも大きいブロックサイズに対しては、逆変換手段に入力する変換係数の数を変更することを備えることを特徴とする。
【手続補正１０】
【補正対象書類名】明細書
【補正対象項目名】００２２
【補正方法】変更
【補正の内容】
【００２２】
また、本発明の画像復号装置において、
前記復号手段は、所定のサイズよりも大きいブロックサイズに対しては、逆変換手段に入力する変換係数の数を変更することを特徴とする復号手段であって、可変長符号化方法を切り替えるフラグによって、前記変換係数の数を変更する復号手段を備えることを特徴とする。
【手続補正１１】
【補正対象書類名】明細書
【補正対象項目名】００２４
【補正方法】変更
【補正の内容】
【００２４】
本発明の画像復号装置は、
符号化データから、予測残差信号及び予測信号を復号する復号手段と、前記復号手段により復号された予測残差信号を逆量子化及び逆変換することにより予測残差を生成する生成手段と、を有し、前記予測残差と、予測信号とから画像データを復号する画像復号装置であって、
前記予測残差信号の復号において、前記復号手段は所定の数以上の予測残差信号を復号する時点で、既に復号された予測残差信号の値に応じて、前記符号化データに含める変換係数の位置を変更する手段を備えることを特徴とする。
【手続補正１２】
【補正対象書類名】明細書
【補正対象項目名】００６６
【補正方法】変更
【補正の内容】
【００６６】
図７は、表現形式ｂの場合における、重みパラメータＫ１、・・・、Ｋｎから画素Ｐｋのフィルタ処理に用いる重み係数Ｗｋを求める方法を示すものである。この場合、重み係数算出部４０３は、
Ｗｋ  ＝  Ｋ１  −  Ｋ２  ×  ｋ  （ｋ＜Ｋ１／Ｋ２）
＝  ０                      （ｋ＞＝Ｋ１／Ｋ２）
によって求める。
【手続補正１３】
【補正対象書類名】明細書
【補正対象項目名】００７１
【補正方法】変更
【補正の内容】
【００７１】
表現形式ｂでは、フィルタパラメータＫ１、Ｋ２から重み係数αｉｊを
αｉｊ＝Ｋ１  −  Ｋ２  ×  ｋ      （ｋ＜Ｋ１／Ｋ２）
＝０                          （ｋ＞＝Ｋ１／Ｋ２）
により求める。但しｋ＝ＡＢＳ（ｉ）＋ＡＢＳ（ｊ）。
【手続補正１４】
【補正対象書類名】明細書
【補正対象項目名】００７４
【補正方法】変更
【補正の内容】
【００７４】
この場合、距離ｋに最も近いフィルタパラメータの線形近似により重み係数を補間する。例えば、境界からの距離ｋが１、３のフィルタパラメータＷ１、Ｗ３が得られている場合には、境界からの距離０、２、４、５については、フィルタパラメータの値を用いて線形近似を行う。より具体的には、境界からの距離ｋの重み係数Ｗｋは、フィルタパラメータＫ１、Ｋ３及び所定の定数ＷＷ０、ＷＷ６を用いて、
Ｗ０  ＝  ＷＷ０                    （Ｋ＝０）
Ｗ１  ＝  Ｋ１                      （Ｋ＝１）
Ｗ２  ＝  （Ｋ１＋Ｋ３）／２        （Ｋ＝２）
Ｗ３  ＝  Ｋ３                      （Ｋ＝３）
Ｗ４  ＝  （２×Ｋ３＋ＷＷ６）／３  （Ｋ＝４）
Ｗ５  ＝  （Ｋ３＋２×ＷＷ６）／３  （Ｋ＝５）
に定める。なお、所定の定数ＷＷ０、ＷＷ６は、例えば０．４５、０．０が適当である。
【手続補正１５】
【補正対象書類名】明細書
【補正対象項目名】００７９
【補正方法】変更
【補正の内容】
【００７９】
［２．第２実施形態］
図１１は、第２実施形態に係る画像復号装置２００の構成を示すブロック図である。なお、第１実施形態と同様の部材に関しては、同一の符号を付し、その説明を省略する。図２に示すように、画像復号装置２００は、予測部１１１と、可変長符号化復号部１１４と、逆量子化部１１５と、逆変換部１１６と、フレームメモリ１１７と、ブロックサイズ管理部２０１と、フィルタパラメータ保存部１１９と、フィルタ部１２０とを備えて構成されている。画像復号装置２００の動作について以下に説明する。
【手続補正１６】
【補正対象書類名】明細書
【補正対象項目名】００８０
【補正方法】変更
【補正の内容】
【００８０】
画像復号装置２００に入力された符号化データは、まず、可変長符号化復号部１１４に入力される。可変長符号化復号部１１４は、符号化データの可変長復号により、フィルタパラメータ、及び、予測方法を示す予測信号、予測及び変換に用いられるブロックサイズ、変換・量子化された予測残差信号を復号する。復号されたブロックサイズは、ブロックサイズ管理部２０１に格納される。
【手続補正１７】
【補正対象書類名】明細書
【補正対象項目名】００８１
【補正方法】変更
【補正の内容】
【００８１】
第２実施形態に係る画像復号装置は、ブロックサイズ管理部２０１に格納されたブロックサイズに応じて、予測部１１１、逆量子化部１１５、逆変換部１１６、フィルタ部１２０の動作を変える。なお、第１実施形態では説明の簡略化のためブロックサイズ管理部２０１を図示していないが、ブロックサイズを可変にする方法（可変ブロックサイズ）を用いて符号化された符号化データの復号及びフィルタ処理を損なうものではない。
【手続補正１８】
【補正対象書類名】明細書
【補正対象項目名】００９０
【補正方法】変更
【補正の内容】
【００９０】
図１２は、以上説明した、可変長符号化方式により切り替えられる符号化する変換係数の位置を説明する図である。算術符号化の場合には、図１２（ａ）に示すように４０個、それ以外の場合には図１２（ｂ）に示すように算術符号の場合よりも少ない１６個の変換係数を復号する。
【手続補正１９】
【補正対象書類名】明細書
【補正対象項目名】００９５
【補正方法】変更
【補正の内容】
【００９５】
図１４は、ブロックサイズ、変換係数の個数、変換係数の位置を符号化するヘッダの構成を示す図である。sizeidx_of_max_blockは、最大ブロックサイズを示すインデックスであり０からＮ−１の値をとる。sizeidx_of_max_blockを最大ブロックサイズに変換する式は、「ブロックサイズの横は１６×sizeidx_of_max_block、縦は１６」とする。
【手続補正２０】
【補正対象書類名】明細書
【補正対象項目名】００９６
【補正方法】変更
【補正の内容】
【００９６】
sizeidx_of_max_blockから最大ブロックサイズを求める式は、上記に限らず、「ブロックサイズの横は１６×sizeidx_of_max_block、縦は１６×sizeidx_of_max_block」等としても良い。
【手続補正２１】
【補正対象書類名】明細書
【補正対象項目名】０１１４
【補正方法】変更
【補正の内容】
【０１１４】
Ｓ２５０６：水平方向優先指数Ｈが０より大きい場合には、Ｓ２５０７に遷移する。それ以外の場合にはＳ２５１１に遷移する。
Ｓ２５０７：スキャン方法Ｓを水平方向優先に設定する。
Ｓ２５０８：垂直方向優先指数Ｖを算出する。
Ｓ２５０９：垂直方向優先指数Ｖが０より大きい場合には、Ｓ２５１０に遷移する。それ以外の場合にはＳ２５０８に遷移する。
Ｓ２５１０：スキャン方法Ｓを垂直方向優先に設定する。
Ｓ２５１１：スキャン方法Ｓとスキャン位置Ｉで定まる変換係数の位置にＳ２５０３で得られたレベルＬを格納する。なお、スキャン方法Ｓの選択肢として、水平方向優先、垂直方向に加え、対角方向優先を追加する方法も好適である。
【手続補正２２】
【補正対象書類名】明細書
【補正対象項目名】０１２２
【補正方法】変更
【補正の内容】
【０１２２】
第２実施形態の勾配評価部４０２は、ブロックサイズ管理部２０１から読み出したブロックサイズ毎に異なる方法で、フレームメモリ１１７より読み出した画素値を用いて、勾配値を算出する。
【手続補正２３】
【補正対象書類名】明細書
【補正対象項目名】０１３１
【補正方法】変更
【補正の内容】
【０１３１】
ｇｉ  ＝  ０  （ｇ＝Ｔ０）
＝  １  （ｇ＞Ｔ０  かつ  ｇ＜＝Ｔ１）
＝  ２  （ｇ＞Ｔ１  かつ  ｇ＜＝Ｔ２）
＝  ３  （ｇ＞Ｔ３）
Ｔ０、Ｔ１、Ｔ２、Ｔ３は判定の閾値を与える所定の定数である。
【手続補正２４】
【補正対象書類名】明細書
【補正対象項目名】０１３４
【補正方法】変更
【補正の内容】
【０１３４】
図２０は周波数成分量算出部６０４の動作を説明するための図である。周波数成分量算出部６０４は、逆変換部１１６から出力された変換係数を用いて、変換係数の領域ごとに変換係数の絶対値和を計算し、低周波成分量、高周波成分量を計算する。より具体的には、図２０の細かい網掛け部で示す位置の変換係数を用いて低周波成分量を計算し、図２０の粗い網がけ部で示す位置の変換係数を用いて高周波成分量を計算する。低周波成分量、高周波成分量の計算は、絶対値和に限らず、２乗和や絶対値の最大値、２乗値の最大値など他の値でも良い。
【手続補正２５】
【補正対象書類名】明細書
【補正対象項目名】０１４３
【補正方法】変更
【補正の内容】
【０１４３】
ｇｉ  ＝  ０  （低周波成分量  ＜＝  ＴＬ０  かつ  高周波成分量  ＜＝  ＴＨ０）
＝  １  （低周波成分量  ＜＝  ＴＬ１  かつ  高周波成分量  ＜＝  ＴＨ１）
＝  ２  （ｇ＞Ｔ１  かつ  ｇ＜＝Ｔ２）
＝  ３  （ｇ＞Ｔ３）
予測信号がＤＣ予測でない場合には、変換係数の大きさによらず、画素値の差を用いて勾配インデックスｇｉを決定する。
【手続補正２６】
【補正対象書類名】明細書
【補正対象項目名】０１４５
【補正方法】変更
【補正の内容】
【０１４５】
［２．６  重み係数算出部の説明］
第１実施形態で説明したとおり、重み係数算出部４０３は、フィルタパラメータＫ１、・・・、Ｋ２、Ｋｎにより重み係数を求める。フィルタパラメータの表現形式も、第１実施形態で説明したとおり、表現形式ａと表現形式ｂを用いる。第２実施形態の重み係数算出部４０３は、ブロックサイズ管理部２０１から入力されたブロックサイズを用いて、ブロックサイズに応じて表現形式を変更する。
【手続補正２７】
【補正対象書類名】明細書
【補正対象項目名】０１６０
【補正方法】変更
【補正の内容】
【０１６０】
学習用データ保存部５０１は、差分値算出部４０１において算出した差分値絶対値ｄが閾値Ｔｈ１未満であるか否かを判定する。すなわち、ｄ＜αであるか否かを判定する（α＝閾値Ｔｈ１）。差分値絶対値ｄが閾値Ｔｈ１未満である場合、すなわちｄ＜αである場合、学習用データ保存部５０１は、勾配インデックス毎に学習用データを保存する。
【手続補正２８】
【補正対象書類名】明細書
【補正対象項目名】０１６１
【補正方法】変更
【補正の内容】
【０１６１】
［３．４  線形予測パラメータ推定の説明］
学習用データ保存部５０１の動作を説明する前に、線形予測のパラメータを推定する方法について説明する。
【手続補正２９】
【補正対象書類名】明細書
【補正対象項目名】０１６２
【補正方法】変更
【補正の内容】
【０１６２】
一般に、ｍ個の値（ｘ１、ｘ２、・・・、ｘｍ）であるベクトルｘとｍ個の重み係数（ａ０、ａ１、・・・、ａｍ）を用いて値ｙを線形予測する場合、
ｙ  ＝  ａ１×ｘ１＋ａ２×ｘ２・・・・ａｍ×ｘｍ＋ε
と表現できる（εは予測残差である）。
【手続補正３０】
【補正対象書類名】明細書
【補正対象項目名】０１７７
【補正方法】変更
【補正の内容】
【０１７７】
表現形式ｂの場合、フィルタパラメータは、フィルタ処理の重み係数を算出する式のパラメータを表す。第１実施形態で説明したとおり、
重み係数は
Ｗｋ  ＝  Ｋ１  −  Ｋ２  ×  ｋ      （ｋ＜Ｋ２）
＝  ０                          （ｋ＞＝Ｋ２）
により求める。
【手続補正３１】
【補正対象書類名】明細書
【補正対象項目名】０１８５
【補正方法】変更
【補正の内容】
【０１８５】
学習用データ保存部５０１は、また、ブロックサイズ管理部２０１の出力に従い、ブロックサイズ毎に、学習用データを保存することが好適である。この場合、図２４に示すとおり、ブロックサイズ別および勾配インデックス別に対応する学習用データを保存する。
【手続補正３２】
【補正対象書類名】明細書
【補正対象項目名】０２０３
【補正方法】変更
【補正の内容】
【０２０３】
１００  画像復号装置
２００  画像復号装置
３００  画像符号化装置
１１１  予測部
１１４  可変長符号化復号部
１１５  逆量子化部
１１６  逆変換部
１１７  フレームメモリ
１１８  フィルタパラメータ算出部
５０１  学習用データ保存部
５０２  パラメータ推定部
１１９  フィルタパラメータ保存部
１２０  フィルタ部
４０１  差分値算出部
４０２  勾配評価部
６０１  差分値算出部
６０２  勾配値算出部
６０３  勾配インデックス算出部
６０４  周波数成分量算出部
４０３  重み係数算出部
４０４  画素値算出部
２０１  ブロックサイズ管理部
３１２  変換部
３１３  量子化部
３１４  可変長符号化部
【手続補正３３】
【補正対象書類名】図面
【補正対象項目名】図３
【補正方法】変更
【補正の内容】
【図３】
2010154264.tif 000001
【手続補正３４】
【補正対象書類名】図面
【補正対象項目名】図１６
【補正方法】変更
【補正の内容】
【図１６】
2010154264.tif 000002
【手続補正３５】
【補正対象書類名】図面
【補正対象項目名】図２１
【補正方法】変更
【補正の内容】
【図２１】
2010154264.tif 000003